(57)【要約】【課題】取り付け作業性を向上した吊り下げ防爆形照明装置を提供する。【解決手段】灯具１０に連結された吊り棒３を備え、この吊り棒３が端子箱４０を用いて天面Ｓに固定される吊り下げ防爆形照明装置１において、端子箱４０が、吊り棒３の上端３Ｂに固定されたフランジを、当該端子箱４０に連結するための連結リング５０を備える構成とする。【選択図】図２
2014026937.tif 000002
【特許請求の範囲】
【請求項１】
灯具に連結された吊り棒を備え、この吊り棒が端子箱を用いて前記天面に固定される吊り下げ防爆形照明装置において、
前記端子箱が、前記吊り棒の上端に固定されたフランジを、当該端子箱に連結するための連結リングを備えた、
ことを特徴とする吊り下げ防爆形照明装置。
【請求項２】
一方の前記吊り棒とは別に、前記灯具に連結された他方の吊り棒を備え、
他方の吊り棒は、吊り金具を用いて前記天面に固定され、
前記吊り金具が、他方の吊り棒が外側から嵌る外向きのＵ字溝を備えた、
ことを特徴とする請求項１に記載の吊り下げ防爆形照明装置。
【請求項３】
前記吊り金具が、前記Ｕ字溝に嵌った他方の吊り棒の当該Ｕ字溝から外側への脱出を阻止するためのストッパを備えた、
ことを特徴とする請求項２に記載の吊り下げ防爆形照明装置。
【請求項４】
前記吊り金具が、前記Ｕ字溝の座面に一部が他より高くなって他方の吊り棒の支持具が当接する台座部を備えた、
ことを特徴とする請求項２または３に記載の吊り下げ防爆形照明装置。
【請求項５】
前記端子箱の下部に周方向に延びるレールを備え、
前記連結リングが一対の半割のリング体で構成され、前記各リング体の内周面に前記レールが嵌り合う周溝を備え、
前記レールと前記周溝を整合させ、半割のリング体同士を止め具で結合させて、前記連結リングを前記端子箱に連結した、
ことを特徴とする請求項１ないし４のいずれか一項に記載の吊り下げ防爆形照明装置。
【請求項６】
前記フランジが外周に凸部を備え、
前記連結リングが底面の開口周縁に前記凸部が嵌る凹部を備え、
前記凸部と前記凹部を整合させ、前記連結リングの底面の開口に前記フランジを嵌め合わせて、前記連結リングを周方向に回転させたとき、前記フランジの凸部を挟持する螺旋溝を、前記連結リングの内周面に備えた、
ことを特徴とする請求項１ないし５のいずれか一項に記載の吊り下げ防爆形照明装置。
【発明の詳細な説明】
【技術分野】
【０００１】
本発明は、天面に固定される吊り下げ防爆形照明装置に関する。
【背景技術】
【０００２】
従来、防爆形照明装置は、灯具と、この灯具に連結された吊り棒とを備え、吊り棒が端子箱を用いて構造物の天面に固定されることによって天面から吊り下げられている。端子箱内においては、天面に設けられた電線管を通された電源線と、吊り棒内を通された灯具の口出線とが結線されている（例えば、特許文献１参照）。
【先行技術文献】
【特許文献】
【０００３】
【特許文献１】実用新案第３００８６７６号公報
【発明の概要】
【発明が解決しようとする課題】
【０００４】
ところで、防爆形照明装置は、比較的重量がある上、例えば工場の天面等の比較的高い位置に設けられるため、容易に取り付け可能な構造が望まれる。
本発明は、上述した事情に鑑みてなされたものであり、取り付け作業性を向上した吊り下げ防爆形照明装置を提供することを目的とする。
【課題を解決するための手段】
【０００５】
上記目的を達成するために、本発明は、灯具に連結された吊り棒を備え、この吊り棒が端子箱を用いて前記天面に固定される吊り下げ防爆形照明装置において、前記端子箱が、前記吊り棒の上端に固定されたフランジを、当該端子箱に連結するための連結リングを備えた、ことを特徴とする。
【０００６】
上記構成において、一方の前記吊り棒とは別に、前記灯具に連結された他方の吊り棒を備え、他方の吊り棒は、吊り金具を用いて前記天面に固定され、前記吊り金具が、他方の吊り棒が外側から嵌る外向きのＵ字溝を備えてもよい。
【０００７】
上記構成において、前記吊り金具が、前記Ｕ字溝に嵌った他方の吊り棒の当該Ｕ字溝から外側への脱出を阻止するためのストッパを備えてもよい。
【０００８】
上記構成において、前記吊り金具が、前記Ｕ字溝の座面に一部が他より高くなって他方の吊り棒の支持具が当接する台座部を備えてもよい。
【０００９】
上記構成において、前記端子箱の下部に周方向に延びるレールを備え、前記連結リングが一対の半割のリング体で構成され、前記各リング体の内周面に前記レールが嵌り合う周溝を備え、前記レールと前記周溝を整合させ、半割のリング体同士を止め具で結合させて、前記連結リングを前記端子箱に連結してもよい。
【００１０】
上記構成において、前記フランジが外周に凸部を備え、前記連結リングが底面の開口周縁に前記凸部が嵌る凹部を備え、前記凸部と前記凹部を整合させ、前記連結リングの底面の開口に前記フランジを嵌め合わせて、前記連結リングを周方向に回転させたとき、前記フランジの凸部を挟持する螺旋溝を、前記連結リングの内周面に備えてもよい。
【発明の効果】
【００１１】
本発明によれば、端子箱が吊り棒の上端に固定されたフランジを端子箱に連結するための連結リングを備えたため、連結リングを吊り棒側に設ける場合に比べ、取り扱い部品点数が減少するので、防爆形照明装置の取り付け作業性を向上できる。
【図面の簡単な説明】
【００１２】
【図１】本発明の実施形態に係る吊り下げ防爆形照明装置を示す正面図である。
【図２】吊り下げ防爆形照明装置を示す斜視図である。
【図３】他方の吊り棒及び吊り金具を示す斜視図である。
【図４】他方の吊り棒及び吊り金具を示す図であり、（Ａ）は正面図、（Ｂ）は側面図、（Ｃ）は平面図である。
【図５】他方の吊り棒及び吊り金具を示す断面図であり、（Ａ）は全体図、（Ｂ）は（Ａ）の範囲Ｂの拡大図である。
【図６】吊り金具を下方から示す斜視図である。
【図７】一方の吊り棒及び端子箱を示す斜視図である。
【図８】一方の吊り棒及び端子箱を示す側面図である。
【図９】図８のＩＸ−ＩＸ断面を示す図である。
【図１０】端子箱に仮留めされた一方の吊り棒を示す斜視図である。
【図１１】一方の吊り棒及び分解された端子箱を示す斜視図である。
【図１２】リングを示す斜視図である。
【図１３】取り付け途中の吊り下げ防爆形照明装置を示す正面図である。
【図１４】本発明の変形例に係る他方の吊り棒及び吊り金具を示す斜視図である。
【図１５】他方の吊り棒及び吊り金具を示す図であり、（Ａ）は正面図、（Ｂ）は側面図、（Ｃ）は平面図である。
【図１６】他方の吊り棒及び吊り金具を示す断面図である。
【発明を実施するための形態】
【００１３】
以下、図面を参照して本発明の実施形態について説明する。
図１は実施形態に係る吊り下げ防爆形照明装置を示す正面図であり、図２は吊り下げ防爆形照明装置を示す斜視図である。
吊り下げ防爆形照明装置１は、例えば工場等の比較的高い天面Ｓ等から吊り下げられる照明装置であり、灯具１０と、この灯具１０に連結された一対の吊り棒２，３とを備えている。灯具１０は、光源（蛍光管）１１を本体１２の下面に支持して構成されている。光源１１は、例えば、蛍光灯等の棒状の光源であり、本実施形態では、２本設けられている。
本体１２は長手の箱体であり、本体１２の長手方向に沿って光源１１が設けられている。本体１２内には光源１１に電力を供給する電源装置（不図示）が収容され、電源装置には口出線等が接続される。電源装置からの口出線Ｌ１（図１３参照）は、一方の吊り棒３内を通って一方の吊り棒３の上端３Ｂから露出している。
【００１４】
一対の吊り棒２，３は、中空に形成されたパイプであり、本体１２の上面１２Ａに離間して連結されている。より具体的には、本体１２の上面１２Ａには、吊り棒２，３を螺合するための２つの固定具１３が離間して取り付けられており、各吊り棒２，３は、下端２Ａ，３Ａが固定具１３に螺合されることにより本体１２に固定されている。他方の吊り棒２の上端２Ｂは吊り金具２０を用いて天面Ｓに固定され、一方の吊り棒３の上端３Ｂは端子箱４０を用いて天面Ｓに固定されている。
天面Ｓには、商用電源等の電源線Ｌ２（図１３参照）を通す電線管Ｐが固定されており、吊り金具２０は、電線管Ｐを跨ぐように天面Ｓに固定されている。
【００１５】
図３は、他方の吊り棒２及び吊り金具２０を示す斜視図である。図４は他方の吊り棒２及び吊り金具２０を示す図であり、図４（Ａ）は正面図、図４（Ｂ）は側面図、図４（Ｃ）は平面図である。図５は、他方の吊り棒２及び吊り金具２０を示す断面図であり、図５（Ａ）は全体図、図５（Ｂ）は図５（Ａ）の範囲Ｖの拡大図である。図６は、吊り金具２０を下方から示す斜視図である。
図３〜図５に示すように、他方の吊り棒２の上端２Ｂにはねじ部２Ｃが形成されており、このねじ部２Ｃに２つのロックナット（支持具）４が相互に離間して螺合されている。
【００１６】
吊り金具２０は、例えばアルミダイキャスト等の鋳物であり、対向する一対の壁部２１と、これら一対の壁部２１を繋ぐ底部２２とを備えて側面視略Ｕ字状に形成されている。各壁部２１の上端には、外側に延出する固定部２３が設けられており、これらの固定部２３が天面Ｓにねじ止めされることで吊り金具２０が天面Ｓ（図１）に固定される。
底部２２には、他方の吊り棒２のロックナット４が両側から当接し、他方の吊り棒２のねじ部２Ｃの長さＭは、底部２２と、当該底部２２に当接した２つのロックナット４との高さの和よりも長く形成されている。
【００１７】
底部２２には、他方の吊り棒２を挿通させる、Ｕ字状に切り欠いたＵ字溝２４が形成されている。Ｕ字溝２４は、Ｕ字の開口を本体１２の長手方向外向きに配置してなる。また、底部２２において、図６に示すように、他方の吊り棒２の２つのロックナット４が当接する上座面２２Ａ及び下座面２２Ｂが、一部が他より高くなった台座部２２Ａ１，２２Ｂ１と、台座部２２Ａ１，２２Ｂ１から底部２２の厚みが減る方向に傾斜する傾斜部２２Ａ２，２２Ｂ２とを備えて構成されている。したがって、ロックナット４は台座部２２Ａ１，２２Ｂ１のみに当接するので、他方の吊り棒２に横方向の荷重がかかっても、座面２２Ａ，２２Ｂに力が集中することがない。
【００１８】
また、底部２２には、図３及び図４に示すように、Ｕ字溝２４の開口部両側に、座面２２Ａ，２２Ｂよりも高くなったストッパ２２Ｃが形成されており、このストッパ２２ＣがＵ字溝２４に嵌った他方の吊り棒２が当該Ｕ字溝２４から外側へ脱出することを阻止する。したがって、他方の吊り棒２をＵ字溝２４に挿通する際には、ロックナット４間を、ストッパ２２Ｃの高さよりも大きくする。
【００１９】
図７は、一方の吊り棒３及び端子箱４０を示す斜視図である。図８は一方の吊り棒３及び端子箱４０を示す側面図であり、図９は図８のＩＸ−ＩＸ断面を示す図である。図１０は端子箱４０に仮留めされた一方の吊り棒３を示す斜視図である。図１１は、一方の吊り棒３及び分解された端子箱４０を示す斜視図である。図１２は、リングを示す斜視図である。
【００２０】
図７〜図１１に示すように、一方の吊り棒３の上端３Ｂには円盤状のフランジ５が設けられている。より詳細には、図９に示すように、一方の吊り棒３の上端３Ｂにはねじ部３Ｃが形成されており、このねじ部３Ｃがフランジ５の中心に形成されたねじ孔５Ａに螺合されている。このねじ孔５Ａは、フランジ５を貫通するように設けられている。また、フランジ５の下面において、ねじ孔５Ａの周囲は下方に突出するボス部５Ｂが形成されている。フランジ５の上面には、Ｏ−リング３１を配置するための溝５Ｃが形成されている。
フランジ５の外周には、図１０に示すように、周方向に延びる２つの凸部５Ｄが、フランジ５の中心に対して対向するように設けられている。凸部５Ｄには凹部５Ｅが形成されており、フランジ５の底面には、凹部５Ｅに対応した位置に目印部５Ｆが形成されている。
【００２１】
端子箱４０は略円筒状に形成され、端子箱４０の側面（外周面）には外側に延出する複数の固定部４１が設けられており、この固定部４１が天面Ｓにねじ止めされることで端子箱４０が天面Ｓ（図１）に固定される。
また、端子箱４０の側面には、電線管Ｐ（図１）を接続するための複数の接続部４２が設けられている。本実施形態では、２つの接続部４２が対向するように計４つの接続部４２が形成され、接続部４２間のそれぞれに固定部４１が形成されている。接続部４２は端子箱４０の側面から外側に筒状に突出する部材であり、接続部４２内には電線管Ｐをねじ込むためのねじ込み部４２Ａが形成されている。ねじ込み部４２Ａは、端子箱４０を貫通して端子箱４０の中空部Ｒに連通している。
【００２２】
端子箱４０内には、一方の吊り棒３を仮留めするための引っ掛け金具４５が取り付けられており、一方の吊り棒３のフランジ５の上面にねじ固定したチェーン３２を端子箱４０内の引っ掛け金具４５に引っ掛けることで、一方の吊り棒３が端子箱４０に仮留めされる。
端子箱４０の下部には、外側に延出するレール４３が周方向に渡って形成されており、このレール４３に連結リング５０が係合される。また、図９に示すように、レール４３の下面には、フランジ５の溝５Ｃに対応する位置に、下方に突出する突起部４４が形成されており、フランジ５が連結リング５０に固定された際に、突起部４４がＯ−リング３１を押すことで、フランジ５と端子箱４０との間がシールされる。
【００２３】
端子箱４０は、一方の吊り棒３のフランジ５を該端子箱４０に連結する連結リング５０を備えている。連結リング５０は、一対の半割のリング体５１を結合して構成されている。リング体５１の外周面の端部には、リング体５１を結合するための結合部５２が形成されており、２つのリング体５１は、この結合部５２同士をねじ（止め具）５３によって結合することで輪状の連結リング５０となる。各リング体５１の側面（外周面）にはビス５４を貫通させる貫通孔５５が対向するように形成されている。各リング体５１の底面５０Ａには、貫通孔５５に対応した位置に目印部５５Ａが形成されている。
【００２４】
各リング体５１の内周面５０Ｂ上部には、図１２に示すように、レール４３が嵌り合う周溝５６が周方向に渡って形成されている。
また、各リング体５１の内周面５０Ｂには、周方向に延びる突条部５７が形成されている。この突条部５７の上面５７Ａは、下方から見た際に反時計回りに向けて先細りするように傾斜するとともに、突条部５７の基部は上下に延びる当接面５７Ｂを有している。図１０に示すように、連結リング５０の底面５０Ａにおいて、突条部５７が設けられていない凹部５８の幅Ｗは、フランジ５の凸部５Ｄの長さＷに一致している。突条部５７とレール４３との間に位置するリング体５１の内周面５０Ｂが、フランジ５の凸部５Ｄが配置される螺旋溝５９となる。
【００２５】
連結リング５０は、図９及び図１１に示すように、２つのリング体５１のそれぞれを、端子箱４０のレール４３がリング体５１の周溝５６に嵌るように、端子箱４０に組み付けてねじ５３によって固定することで、端子箱４０に回転可能に支持される。
【００２６】
次に、吊り下げ防爆形照明装置１の組み付け方法について説明する。
図１３は、取り付け途中の吊り下げ防爆形照明装置１を示す正面図である。
まず、吊り金具２０及び端子箱４０を天面Ｓに固定するとともに、端子箱４０に電線管Ｐを接続し、電線管Ｐを通る電源線Ｌ２を、端子箱４０の接続部４２から端子箱４０内及び連結リング５０内を通して連結リング５０の下部から露出させる。
【００２７】
次に、図３に示すように、他方の吊り棒２を吊り金具２０のＵ字溝２４に挿入する。このＵ字溝２４は、他方の吊り棒２が外側から嵌る外向きのＵ字状に形成されているため、他方の吊り棒２をＵ字溝２４に外側から嵌めるだけで吊り金具２０に固定できるので、他方の吊り棒２を吊り金具２０に容易に係合させることができる。このとき、ロックナット４は、吊り金具２０の底部２２（ストッパ２２Ｃ）の厚みよりも大きく離間されている。
次いで、一方の吊り棒３のフランジ５の上面にねじ固定したチェーン３２を端子箱４０内の引っ掛け金具４５に引っ掛けて、一方の吊り棒３を仮留めし、この状態で、一方の吊り棒３から延びる口出線Ｌ１と、端子箱４０から延びる電源線Ｌ２とを結線する。
【００２８】
そして、図１０に示すように、フランジ５の凸部５Ｄと連結リング５０の凹部５８との位置が整合していなければ、凸部５Ｄと凹部５８が整合するまで連結リング５０を周方向に回転する。次いで、結線した口出線Ｌ１及び電源線Ｌ２（図１３）及びチェーン３２を端子箱４０内に収納させながら、フランジ５の凸部５Ｄを連結リング５０の凹部５８に嵌め、連結リング５０の底面５０Ａの開口５０Ｃにフランジ５を嵌め合わせる。
【００２９】
次に、凸部５Ｄの端部５Ｄ１が連結リング５０の当接面５７Ｂ（図１２）に当接するまで、連結リング５０を周方向に回転（本実施形態では下方から見て左回転）する。このとき、フランジ５の凸部５Ｄは、連結リング５０の突条部５７の上面５７Ａ（図１２）に案内される。本実施形態では、突条部５７の上面５７Ａが傾斜面となっているため、連結リング５０を回転することで、フランジ５の凸部５Ｄがレール４３と上面５７Ａとの間の螺旋溝５９に挟持されて固定される。これにより、連結リング５０とフランジ５との間の回転が防止され、フランジ５が連結リング５０から外れることを防止できる。
この状態において、フランジ５と端子箱４０とはＯ−リング３１によってシールされているため、水分や埃等の異物が端子箱４０内に浸入することがない。
【００３０】
さらに、図７に示すように、回り止め用のビス５４を連結リング５０の貫通孔５５に通してフランジ５の凹部５Ｅに当接させることで、連結リング５０とフランジ５との間の回転がより防止され、フランジ５が連結リング５０から外れることを確実に防止できる。しかも、フランジ５には凹部５Ｅに対応する底面に目印部５Ｆが、連結リング５０には貫通孔５５に対応する位置の底面５０Ａに目印部５５Ａが設けられているため、凹部５Ｅと貫通孔５５とが一致する位置にあるかどうかを目印部５Ｆ，５５Ａによって分かるようになっている。したがって、ビス５４をフランジ５の凹部５Ｅに確実に当接させることができる。
【００３１】
最後に、図１に示すように、他方の吊り棒２のロックナット４を締めて、吊り下げ防爆形照明装置１の組み付けが完成する。ロックナット４を締めて、２つのロックナット４間の距離をストッパ２２Ｃの高さより小さくすることにより、風圧荷重等の力がかかっても、ストッパ２２ＣによってＵ字溝２４に嵌った他方の吊り棒２の当該Ｕ字溝２４から外側への脱出を阻止できる。
【００３２】
とろこで、例えば回転可能な連結リングを一方の吊り棒側に設ける場合には、連結リングと、一方の吊り棒が別体となるので、部品点数が増加するだけでなく、連結リングを一方の吊り棒に通した状態で作業者が保持しなければならない。
これに対し、本実施形態では、端子箱４０が一方の吊り棒３のフランジ５を端子箱４０に連結するための連結リング５０を備えたため、連結リングを一方の吊り棒側に設ける場合に比べ、取り扱い部品点数が減少するので、吊り下げ防爆形照明装置１の取り付け作業性を向上できる。さらに、連結リング５０を一対の半割のリング体５１で構成することで、部品点数を最小限に抑えつつ、連結リング５０を回転可能に端子箱４０に連結することができる。
このように、端子箱４０により、一方の吊り棒３から延びる口出線Ｌ１と、端子箱４０から延びる電源線Ｌ２とを容易に結線できるとともに、吊り下げ防爆形照明装置１を天面Ｓに容易に取り付けることができる。
【００３３】
以上説明したように、本実施形態によれば、端子箱４０が、一方の吊り棒３の上端３Ｂに固定されたフランジ５を、当該端子箱４０に連結するための連結リング５０を備えたため、連結リングを一方の吊り棒側に設ける場合に比べ、取り扱い部品点数が減少するので、吊り下げ防爆形照明装置１の取り付け作業性を向上できる。
【００３４】
また、本実施形態によれば、一方の吊り棒３とは別に、灯具１０に連結された他方の吊り棒２を備え、他方の吊り棒２は、吊り金具２０を用いて天面Ｓに固定され、吊り金具２０が、他方の吊り棒２が外側から嵌る外向きのＵ字溝２４を備えたため、他方の吊り棒２をＵ字溝２４に外側から嵌めるだけで吊り金具２０に固定できるので、他方の吊り棒２を吊り金具２０に容易に係合させることができる。
【００３５】
また、本実施形態によれば、吊り金具２０が、Ｕ字溝２４に嵌った他方の吊り棒２の当該Ｕ字溝２４から外側への脱出を阻止するためのストッパ２２Ｃを備える構成とする。これにより、本体１２の長手方向に風圧荷重等の力がかかっても、ストッパ２２ＣによってＵ字溝２４に嵌った他方の吊り棒２の当該Ｕ字溝２４から外側への脱出を阻止できる。
【００３６】
また、本実施形態によれば、吊り金具２０が、Ｕ字溝２４の座面２２Ａ，２２Ｂに一部が他より高くなって他方の吊り棒２のロックナット４が当接する台座部２２Ａ１，２２Ｂ１を備える構成とする。この構成により、風圧荷重等の力がかかっても、ストッパ２２ＣによってＵ字溝２４に嵌った他方の吊り棒２の当該Ｕ字溝２４から外側への脱出を阻止できる。
【００３７】
また、本実施形態によれば、端子箱４０の下部に周方向に延びるレール４３を備え、連結リング５０が一対の半割のリング体５１で構成され、各リング体５１の内周面５０Ｂにレール４３が嵌り合う周溝５６を備え、レール４３と周溝５６を整合させ、半割のリング体５１同士をねじ５３で結合させて、連結リング５０を端子箱４０に連結する構成とする。連結リング５０を一対の半割のリング体５１で構成することで、部品点数を最小限に抑えつつ、連結リング５０を回転可能に端子箱４０に連結することができる。
【００３８】
また、本実施形態によれば、フランジ５が外周に凸部５Ｄを備え、連結リング５０が底面５０Ａの開口５０Ｃ周縁に凸部５Ｄが嵌る凹部５８を備え、凸部５Ｄと凹部５８を整合させ、連結リング５０の底面５０Ａの開口５０Ｃにフランジ５を嵌め合わせて、連結リング５０を周方向に回転させたとき、フランジ５の凸部５Ｄを挟持する螺旋溝５９を、連結リング５０の内周面５０Ｂに備える構成とする。この構成により、フランジ５の凸部５Ｄが螺旋溝５９に挟持することができるので、比較的簡単な構成により、フランジ５が連結リング５０から脱落することを防止できる。
【００３９】
但し、上記実施形態は本発明の一態様であり、本発明の趣旨を逸脱しない範囲において適宜変更可能であるのは勿論である。
例えば、上記実施形態では、灯具１０は光源として棒状の蛍光灯を備えていたが、光源はこれに限定されるものではなく、例えば、ＬＥＤ等の発光素子を備えていてもよい。
また、上記実施形態では、一対の半割のリング体５１を止め具としてのねじ５３で結合したが、リング体５１の止め具はねじに限定されるものではない。
【００４０】
また、例えば、図１４〜図１６に示すように、他方の吊り棒２の上端２Ｂにゴム等で形成した栓６を嵌合してもよい。この栓６により、雨や埃等が他方の吊り棒２内に入るのを防止できる。また、栓６の上部に上端２Ｂより外側に突出する鍔部６Ａを設けることで、仮留め時にロックナット４が緩んだ状態にあっても、他方の吊り棒２が吊り金具２０から抜けるのを防止でき、吊り下げ防爆形照明装置１をより安全に取り付けることができる。
【００４１】
また、上記実施形態では、吊り下げ防爆形照明装置１は、棒状の光源１１を支持すべく一対の吊り棒２，３を備えていたが、これに限定されるものではなく、例えば、吊り棒２のみを備えていてもよい。
【符号の説明】
【００４２】
１  吊り下げ防爆形照明装置
２，３  吊り棒
３Ｂ  上端
４  ロックナット（支持具）
５  フランジ
５Ｄ  凸部
１０  灯具
２０  吊り金具
２２Ａ，２２Ｂ  座面
２２Ａ１，２２Ｂ１  台座部
２２Ｃ  ストッパ
２４  Ｕ字溝
４０  端子箱
４３  レール
５０  連結リング
５０Ａ  内周面
５０Ｂ  底面
５０Ｃ  開口
５１  リング体
５３  ねじ（止め具）
５６  周溝
５８  凹部
５９  螺旋溝
Ｓ  天面
【図１】
2014026937.tif 000003
【図２】
2014026937.tif 000004
【図３】
2014026937.tif 000005
【図４】
2014026937.tif 000006
【図５】
2014026937.tif 000007
【図６】
2014026937.tif 000008
【図７】
2014026937.tif 000009
【図８】
2014026937.tif 000010
【図９】
2014026937.tif 000011
【図１０】
2014026937.tif 000012
【図１１】
2014026937.tif 000013
【図１２】
2014026937.tif 000014
【図１３】
2014026937.tif 000015
【図１４】
2014026937.tif 000016
【図１５】
2014026937.tif 000017
【図１６】
2014026937.tif 000018